(57)【要約】【課題】底壁の強度向上を図ることが可能な折り畳み式運搬用容器を提供する。【解決手段】側壁下部の二重壁部分に、その内壁２４と外壁２５とを架橋する架橋部材（架橋板２６又は架橋リブ２７）を、底壁１１に垂下形成された補強リブ２３の長さ方向の延長線上を延びるようにして設ける。【選択図】　　　図２
2004042999.tif 000002
【特許請求の範囲】
【請求項１】
底壁の各辺から立ち上がる側壁の下端の少なくとも一部が内壁と外壁からなる二重壁であるとともに、前記底壁には補強リブが垂下形成された折り畳み式運搬用容器において、
前記側壁における二重壁部分には、その内壁と外壁とを架橋する架橋部材が、前記補強リブの長さ方向の延長線上を延びるようにして設けられたことを特徴とする折り畳み式運搬用容器。
【請求項２】
前記架橋部材が、前記側壁の左右方向略中央部に設けられたことを特徴とする請求項１に記載の折り畳み式運搬用容器。
【請求項３】
前記架橋部材の下端が、前記側壁の下端縁にまで達していることを特徴とする請求項１又は請求項２に記載の折り畳み式運搬用容器。
【請求項４】
前記底壁に、前記補強リブ間の間隔を一部狭く形成することによって密リブ構造が設けられたことを特徴とする請求項１から請求項３のいずれか一項に記載の折り畳み式運搬用容器。
【発明の詳細な説明】
【０００１】
【発明の属する技術分野】
本発明は、各種物品を収容してその運搬に使用される折り畳み式運搬用容器に関するものである。
【０００２】
【従来の技術】
この種の折り畳み式運搬用容器として、合成樹脂により有底箱状に形成されたものが知られている。このような折り畳み式運搬用容器では、底壁の強度を高めるために、底壁に補強リブを垂下形成することが一般に行なわれている。
【０００３】
【発明が解決しようとする課題】
ところが、底壁に補強リブが垂下形成された折り畳み式運搬用容器であっても、繰り返し使用される間に、収容する物品の重みによって次第に底壁に変形（垂れ）が生じるという問題がある。そのため、底壁のさらなる強度向上が求められている。
【０００４】
本発明はこのような実情に鑑みてなされたものであり、その目的とするところは、底壁の強度向上を図ることが可能な折り畳み式運搬用容器を提供することにある。
【０００５】
【課題を解決するための手段】
上記の目的を達成するために、請求項１に記載の発明は、底壁の各辺から立ち上がる側壁の下端の少なくとも一部が内壁と外壁からなる二重壁であるとともに、前記底壁には補強リブが垂下形成された折り畳み式運搬用容器において、前記側壁における二重壁部分には、その内壁と外壁とを架橋する架橋部材が、前記補強リブの長さ方向の延長線上を延びるようにして設けられたことを要旨とする。
【０００６】
請求項２に記載の発明は、請求項１に記載の折り畳み式運搬用容器において、前記架橋部材が、前記側壁の左右方向略中央部に設けられたことを要旨とする。請求項３に記載の発明は、請求項１又は請求項２に記載の折り畳み式運搬用容器において、前記架橋部材の下端が、前記側壁の下端縁にまで達していることを要旨とする。
【０００７】
請求項４に記載の発明は、請求項１から請求項３のいずれか一項に記載の折り畳み式運搬用容器において、前記底壁に、前記補強リブ間の間隔を一部狭く形成することによって密リブ構造が設けられたことを要旨とする。
【０００８】
【発明の実施の形態】
本発明を具体化した一実施形態について図１〜図５を参照しながら説明する。本実施形態の折り畳み式運搬用容器は、合成樹脂により有底四角箱状に形成されている。図１〜図４に示すように、本実施形態の折り畳み式運搬用容器には、長方形状の底壁１１と、底壁１１の各辺から立ち上がる側壁１２とが備えられている。なお、以下の説明においては、底壁１１の短辺から立ち上がる一対の側壁１２を短側壁１２ａ、底壁１１の長辺から立ち上がる一対の側壁１２を長側壁１２ｂともいう。
【０００９】
図３及び図４に示すように、底壁１１の各辺から立ち上がる側壁１２には、該側壁１２を起倒自在とするヒンジ部２１が設けられている。ヒンジ部２１は、側壁１２の上下方向中間部に設けられており、側壁１２下部（側壁１２のうちヒンジ部２１の下方に位置する部分）に対して側壁１２上部（側壁１２のうちヒンジ部２１の上方に位置する部分）を回動自在に連結している。ちなみに、特に図示はしないが、前記ヒンジ部２１は、側壁１２上部に設けられた回動軸と、側壁１２下部に設けられて前記回動軸を回動可能に枢支する軸受とから構成されている。
【００１０】
また、底壁１１の隣り合う辺から立ち上がる側壁１２の間には、それら側壁１２同士を起立状態において連結する連結機構が設けられている。本実施形態の場合、この連結機構は、各側壁１２の左右方向両端部に設けられた係合部２２（図１参照）によって構成され、底壁１１の隣り合う辺から立ち上がる側壁１２の係合部２２同士が係合することによって、それら側壁１２同士が連結されるようになっている。
【００１１】
一方、底壁１１には、図２〜図４に示すように、補強リブ２３が垂下形成されている。補強リブ２３は、底壁１１の各辺に沿って延びる格子状に設けられている。
【００１２】
ところで、前記側壁１２下部（側壁１２のうちヒンジ部２１の下方に位置する部分）はそれぞれ、図２〜図４に示すように、内壁２４と外壁２５からなる二重壁となっている。短側壁１２ａ下部の二重壁部分にはそれぞれ、その内壁２４と外壁２５を架橋する架橋板２６（架橋部材）が、短側壁１２ａの左右方向略中央部を含む四箇所に設けられている。また、長側壁１２ｂ下部の二重壁部分にはそれぞれ、その内壁２４と外壁２５を架橋する架橋リブ２７（架橋部材）が、長側壁１２ｂの左右方向略中央部を含む三箇所に設けられている。これら架橋板２６及び架橋リブ２７は、前記補強リブ２３の長さ方向の延長線上を延びるようにして設けられている。また、これら架橋板２６及び架橋リブ２７の下端は、側壁１２の下端縁にまで達している。なお、前記架橋板２６の一部は、短側壁１２ａ下部に設けられた凹所２８（図３参照）の一側面を構成するものである。ちなみに、この凹所２８は、図５（ｂ）に示すように、長側壁１２ｂを内側に倒伏させたときに長側壁１２ｂの係合部２２を収容させるために設けられている。
【００１３】
上記のように構成された折り畳み式運搬用容器を折り畳む場合には、まず短側壁１２ａの係合部２２と長側壁１２ｂの係合部２２の係合を解除する。こうして短側壁１２ａと長側壁１２ｂの間の連結を解除してから、短側壁１２ａ上部を内方に回動させて短側壁１２ａを底壁１１の上に倒伏させ、続いて、長側壁１２ｂ上部を内方に回動させて底壁１１の上に倒伏された短側壁１２ａの上に長側壁１２ｂを倒伏させる。そうすると、図５に示すように、折り畳み式運搬用容器は折り畳んだ状態となる。
【００１４】
逆に、折り畳んだ状態の折り畳み式運搬用容器を組み立てる場合には、まず長側壁１２ｂ上部を上方に回動させて長側壁１２ｂを起立させてから、短側壁１２ａ上部を上方に回動させて短側壁１２ａを起立させる。そして、短側壁１２ａの係合部２２と長側壁１２ｂの係合部２２を係合させて短側壁１２ａと長側壁１２ｂを連結する。そうすると、図１、図３及び図４に示すように、折り畳み式運搬用容器は組み立てた状態となる。
【００１５】
本実施形態によって得られる作用効果について、以下に記載する。
・　本実施形態によれば、底壁１１に設けられた補強リブ２３の長さ方向の延長線上を延びるようにして、側壁１２下部の二重壁部分に架橋板２６及び架橋リブ２７が設けられている。そのため、架橋板２６及び架橋リブ２７が、補強リブ２３と協同して底壁１１の強度向上に寄与することができるようになっている。よって、底壁１１の強度向上を図ることができ、繰り返し使用による底壁１１の変形（垂れ）を抑制することができる。
【００１６】
・　側壁１２下部の二重壁部分にはそれぞれ、各側壁１２の左右方向略中央部に架橋板２６又は架橋リブ２７が設けられている。そのため、底壁１１の短辺方向及び長辺方向の変形に対する底壁１１の剛性を効果的に向上させることができる。
【００１７】
・　側壁１２下部の二重壁部分に設けられた架橋板２６及び架橋リブ２７の下端は、側壁１２の下端縁にまで達している。そのため、架橋板２６及び架橋リブ２７は、底壁１１の強度向上に効果的に寄与することができる。
【００１８】
なお、前記実施形態を次のように変更して構成することもできる。
・　前記実施形態では、補強リブ２３の長さ方向の延長線上を延びる架橋板２６を、各短側壁１２ａに四つずつ設けるようにしたが、各短側壁１２ａに設けられる架橋板２６の数は四つ以外であってもよい。
【００１９】
・　前記実施形態では、補強リブ２３の長さ方向の延長線上を延びる架橋リブ２７を、各長側壁１２ｂに三つずつ設けるようにしたが、各長側壁１２ｂに設けられる架橋リブ２７の数は三つ以外であってもよい。
【００２０】
・　前記実施形態では、補強リブ２３を底壁１１に略等間隔おきに設けるようにしたが、補強リブ２３の間隔を一部狭く形成することによって密リブ構造を底壁１１に設けるようにしてもよい。このようにすれば、底壁１１の強度を一層向上させることができる。なお、前記密リブ構造は、図６に示すように、底壁１１の各辺の略中央に位置するように設けることが好ましい。底壁１１の各辺の略中央に位置するように設けるようにすれば、密リブ構造による底壁１１の強度向上効果を高めることができる。
【００２１】
次に、前記実施形態から把握できる技術的思想について以下に記載する。
・　前記密リブ構造を底壁の各辺の略中央に位置するように設けたことを特徴とする請求項２に記載の折り畳み式運搬用容器。このようにすれば、密リブ構造による底壁の強度向上効果を高めることができる。
【００２２】
・　前記架橋部材を、前記各側壁に複数個設けたことを特徴とする請求項１又は請求項２に記載の折り畳み式運搬用容器。このようにすれば、底壁の強度をより向上させることができる。
【００２３】
・　前記架橋部材が、前記側壁を倒伏させたときにその側壁の少なくとも一部を収容させるために側壁に設けられた凹所の少なくとも一部を構成するものであることを特徴とする請求項１又は請求項２に記載の折り畳み式運搬用容器。
【００２４】
【発明の効果】
以上詳述したように、本発明によれば、底壁の強度向上を図ることができる。
【図面の簡単な説明】
【図１】実施形態の折り畳み式運搬用容器を示す平面図。
【図２】実施形態の折り畳み式運搬用容器を示す底面図。
【図３】図２のＡ−Ａ線矢視図。
【図４】図２のＢ−Ｂ線矢視図。
【図５】（ａ）は実施形態の折り畳み式運搬用容器の折り畳んだ状態を示す平面図、（ｂ）は同正面図。
【図６】別の実施形態の折り畳み式運搬用容器を示す底面図。
【符号の説明】
１１…底壁、１２…側壁、２３…補強リブ、２４…内壁、２５…外壁、２６…架橋部材としての架橋板、２７…架橋部材としての架橋リブ。
【図１】
2004042999.tif 000003
【図２】
2004042999.tif 000004
【図３】
2004042999.tif 000005
【図４】
2004042999.tif 000006
【図５】
2004042999.tif 000007
【図６】
2004042999.tif 000008